(57)【特許請求の範囲】
【請求項１】
電気作動式の燃料噴射装置（１０）であって、該燃料噴射装置が、可動子部材（２２）と同軸的な固定子部材（１２）を有しており、電磁コイルアセンブリ（１８）が設けられており、該電磁コイルアセンブリが、固定子部材の一部を取り囲んでいる枠体部材（４６）に巻き付けられたコイル（４８）を有しており、枠体部材（４６）が、コイルの端部にそれぞれ接続された少なくとも２つのターミナル部材（５０，５２）を有しており、固定子部材、可動子部材とコイルアセンブリとが磁気回路を形成しており、さらにハウジング部材（３４）が設けられている形式ものにおいて、
ハウジング部材（３４）が、管状で円筒形の金属性の胴部（３４ａ）を有しており、該胴部が、長手方向軸線を有しており、かつ一方の端部（３４ａ）で開いており、かつ電磁コイルアセンブリを周方向で制限した均一な壁厚を有しており、さらに磁気回路の一部を形成しており、
前記胴部の他方の端部に。前記胴部から半径方向に向かって延びる肩（３４ｃ）が設けられており、該肩が、固定子部材に接触するための開口部を形成しかつ前記固定子部材に溶接されるように適合させられており、
前記肩（３４ｃ）に単一の貫通孔（３４ｄ）が設けられており、該貫通孔が、前記ハウジングの前記長手方向軸線を中心に所定の角度範囲に亘って延びており、前記肩の縁部が、ターミナル部材（５０，５２）を収容するために前記角度範囲で除去されている
ことを特徴とする、電気作動式の燃料噴射装置。
【請求項２】
付加的に前記肩（３４ｃ）の内向きに延びた端部に、長手方向に延びた、前記管状の円筒形の胴部と同軸的な管状の円筒形のネック（３４ｂ）が形成されており、該ネックが、前記固定子部材（１２）を周方向で制限しかつ該固定子部材に結合されており、さらに該ネックが、前記胴部と同じ均一な壁厚を有している、請求項１記載の電気作動式の燃料噴射装置。
【請求項３】
前記単一の貫通孔（３４ｄ）が、前記ハウジングの前記長手方向軸線を中心にして鋭角の角度範囲に亘って延びており、前記肩と前記ネックとが、この角度に亘って除去されている、請求項２記載の燃料噴射装置。
【請求項４】
前記ネックと前記胴部と前記肩とが、他の場所で孔を有していない、請求項２記載の燃料噴射装置。
【請求項５】
前記金属性の胴部が、約０．５０ｍｍ〜約０．９５ｍｍの厚さを有している、請求項１記載の燃料噴射装置。
【発明の詳細な説明】
発明の分野
本発明は、内燃機関の燃料噴射システムにおいて使用されるソレノイド作動式の燃料噴射装置に関する。
発明の背景および概略
従来の燃料噴射装置は動力グループと弁グループとから成っている。動力グループは、燃料流入管／ポール、磁気コイルおよびハウジングを有している。ハウジングの主な機能は、コイルへの磁束戻り経路として働くことだった。しかし、ハウジングの付加的な機能は：圧縮／組付け力の下でさえ噴射装置形状を維持し；流入管および弁体等の構成部材間に、たとえば圧着等によるこれらの構成部材への装着によって構造的ブリッジを形成し；流入管を可動子面に整合させ；各ターミナルがコイルから外部の電気コネクタに向かって貫通した、通常ハウジングに設けられた２つの円形の孔である電気コイルターミナル通路を提供し；Ｏリングシールのための密封面を形成することである。これは、誤差の大きなやや複雑なハウジング形状となり、基本的にはハウジングは機械加工された厚い固体金属または粉体金属から製造しなければならない。
エンジン室の寸法を縮小する傾向により、構成部材がより小さくさせられ、また寸法縮小の１つの領域は燃料噴射装置の外径だった。しかし、外径が縮径された燃料噴射装置は、（燃料レールソケットに対してシールする場合に標準サイズのＯリングを使用するために）同じ流入管外径を維持する必要があり、これにより、典型的なハウジングの壁を貫通した単一の標準的電気ターミナル通路を形成することが困難となる。
さらに、従来のハウジングは通常２ｍｍよりも厚いので、外径を縮径しながらこの厚さを維持することは、コイルのための空間が必然的に減じられなければならないので性能の損失を引き起こす。
ドイツ連邦共和国特許出願公開第４０１８２５６号明細書（米国特許第５１９０２２１号明細書）には、段状の管状弁ジャケットが開示されており、このジャケットは、内部ポールを部分的に取り囲んでおり、磁気コイルを完全に取り囲んでおり、ノズルホルダを部分的に取り囲んでいる。弁ジャケットは、強磁性シートの深絞りによって形成される。ジャケットは少なくとも２つの内径区分を有しており、肩がこれらの２つの区分を結合している。ターミナルをコイルから外方へ延ばすために、２つのターミナルの間の空間を広げるために２つの直径方向で向き合った打ち抜かれた開口部を必要としている。ジャケットは均一な厚さを有している。
米国特許第５０４４５６２号明細書には、燃料噴射装置のほぼ全長に亘って延びた、不均一な厚さのジャケットが開示されている。ターミナルをコイルから離れる方向で延ばすために、２つの異なる直径区分を結合した肩が、ターミナルの部分で完全に除去されている。コイル領域を取り囲むジャケットの壁厚は、コイル領域の上下の壁厚よりも実質的に厚くなっている。
別の密閉シールコンセプトに加え、動力グループ構成部材の整合および装着のための新たな構造的な解決手段は、ハウジングに課せられた厳格な要求をやわらげた。ハウジングのための帯もしくはフレーム概念を利用することによって最少限のハウジング構成条件を適用した構成は、コストが安価で容易に製造することができるが、磁束経路に必要な断面領域を制限する；構造的／装着力歪み条件がまだ存在する；なぜならば帯もしくはフレームが３６０度全周を被覆しておらず、また帯もしくはフレームは比較的厚くなければならず、その結果噴射装置の最少限の縮径しか行われないからである。さらに、動力グループの構造的な完全性は、コイルおよびハウジングを包み込むために成形工程時に射出される成形材料の圧力に構成部材がさらされるために変位する恐れがある。
別の概念は、ハウジングのために１ｍｍ〜１．５ｍｍの厚さの平らな金属薄板を処理することを含んでいた。このことは成形時に構成部材の変位を最少限にすることを助成してきたが、ターミナル通路のジオメトリ的な条件によって、電気ターミナルのために２つの個々の通路を必要とするという欠点を有している。これにより、２つの付加的な構成部材および溶接またはろう接結合が必要となる。
本発明は、噴射装置の動力グループのためのコストの安い薄い壁のハウジングおよびこの形状を得るための複数の製造方法に関する。このことは、縮径した噴射装置外径を形成し、高い成形圧力（ｏｖｅｒｍｏｌｄｉｎｇ  ｐｒｅｓｓｕｒｅｓ）に構成部材がさらされることを回避し、ひいては成形作業（ｏｖｅｒｍｏｌｄｉｎｇ  ｏｐｅｒａｔｉｏｎ）によって引き起こされる構成部材の変位を制限し、また電気ターミナルのブレード通路で連通したジオメトリを有する。
様々な特徴、利点および発明の観点が、図面を添付した以下の記述および請求項に示されており、この記述および請求項は、本発明を実施するために現時点で考えられる最良の形態に基づく本発明の有利な実施例を開示している。
【図面の簡単な説明】
第１図は、本発明による燃料噴射装置の縦断面図である。
第２図は、ハウジング自体の拡大した上面図である。
第３図は、第２図に示された矢印３−３の方向で見た縦断面図である。
第４図、第５図および第６図は、ハウジングを製造する１つの方向における様々な段階を示す縦断面図である。
第７図は、変化したハウジングを示す第３図に類似の図である。
実施例の説明
第１図には、燃料流入管１２、調節管１４、フィルタアセンブリ１６、コイルアセンブリ１８、コイルばね２０、可動子２２、ニードル弁２４、非磁性シェル２６、弁体シェル２８、弁体３０、プラスチックシェル３２、コイルアセンブリハウジング３４、非金属性のカバー３６、ニードル案内部材３８、弁座部材４０、薄いディスク状オリフィス部材４１、バックアップ保持部材４２、小さなＯリングシール４３および大きなＯリングシール４４を含む多数の部材から成る燃料噴射装置１０が示されている。
ニードル案内部材３８、弁座部材４０、薄いディスク状オリフィス部材４１、バックアップ保持部材４２および小さなＯリングシール４３は、米国特許第５１７４５０５号明細書等の多数の文献に開示されているような、燃料噴射装置１０のノズル端部に配置された積み体を形成している。可動子２２およびニードル弁２４は互いに結合されて可動子／ニードル弁アセンブリを形成している。コイルアセンブリ１８は、プラスチック枠体４６を有しており、このプラスチック枠体４６には電磁コイル４８が巻き付けられている。電磁コイル４８の各端部は、各ターミナル５０，５２に接続されており、これらのターミナル５０，５２は、カバー３６と一体に成形された包囲部５３と相俟って、燃料噴射装置を操作する電子制御回路（図示せず）に燃料噴射装置を接続するための電気コネクタ５４を形成するように成形されている。
燃料流入管１２は強磁性であり、露出した上端部に燃料流入開口部５６を有している。燃料流入開口部５６のすぐ下方で燃料流入管１２の外側を取り囲むように配置されたリング５８は、カバー３６の端面６０および燃料流入管１２の介在した外径と一緒になってＯリングシール６１のための溝を形成しており、このＯリングシール６１は、通常、関連した燃料レール（図示せず）内のカップもしくはソケットに対して燃料噴射装置をシールするために用いられる。下側のＯリング４４は、燃料噴射装置を機関に装着する場合に機関吸気システム（図示せず）内のポートに液密シールを提供するために働く。フィルタアセンブリ１６は調節管１４の開放した上端部に組み付けられており、燃料が調節管１４に流入する前に、燃料流入開口部５６を通って流入してくる燃料から所定のサイズよりも大きな粒子状物質をろ過するようになっている。
較正された燃料噴射装置では、調節管１４が燃料流入管１２内の軸線方向位置に軸線方向に位置決めされており、この調節管１４は、所望のバイアス力を付与するようにコイルばね２０を押圧し、このバイアス力が、ニードル弁２４の丸い先端部を弁座部材４０に座着させて弁座を貫通した中央孔を閉じるように、可動子／ニードル弁を押し付けている。調節が行われた後に調節管１４と燃料流入管１２との相対的な軸線方向位置を維持するためにこれらの管が圧着させられると有利である。
燃料は、調節管１４を通過した後、燃料流入管１２の反対側の端部と可動子２２とが一緒になって規定している、コイルばね２０を有する空間６２へ流入する。可動子２２は、空間６２を弁体３０内の通路６５へ連通させている通路６４を有しており、案内部材３８は、燃料通過孔３８Ａを有している。これにより、燃料が空間６２から通路６４，６５を通って弁座部材４０へ流過することができる。この燃料流経路は第１図に示された一連の矢印によって示されている。
非強磁性のシェル２６は、燃料流入管１２の下端部にテレスコープ式に組み付けられて密閉溶接等によって結合させられている。シェル２６は、燃料流入管１２の下端部において管状のネック６８にテレスコープ式に被さるように係合した管状のネック６６を有している。シェル２６は、ネック６６から半径方向外向きに延びた肩部６９をも有している。肩部６９自体は、燃料噴射装置のノズル端部に向かって軸線方向に延びた短い環状のリム７０を外縁部に有している。弁体シェル２８は強磁性であり、有利には同様に密閉レーザ溶接によって非強磁性のシェル２６に液密に結合させられている。
弁体３０の上端部は、弁体シェル２８の下端部の内側に密に組み付けられており、これらの２つの部材は有利にはレーザ溶接によって液密に結合させられている。可動子２２は、軸線方向で往復運動を行うように弁体３０の内壁によって案内されており、特に弁体３０の上端部に装着されたはとめ６７の内径に案内されている。さらに、可動子／ニードル弁アセンブリの軸線方向の案内は、ニードル案内部材３８に設けられた中央案内孔によって提供されており、この中央貫通孔をニードル弁２４が貫通している。
第１図に示したような閉じた位置では、燃料流入管１２のネック６８の環状の端面と可動子２２の向き合った環状の端面との間に僅かな作動ギャップ７２が存在している。コイルのハウジング３４と燃料流入管１２とは、符号７４において接しており、コイルアセンブリ１８に関連した固定子構造を構成している。非強磁性のシェル２６により、コイルが通電されたときに可動子２２を含む経路に磁束が形成されることが確実となる。磁束は、ハウジング３４が密封レーザ溶接によって弁体シェル２８と結合させられた、ハウジング３４の軸線方向下端部から出発して、弁体シェル２８、弁体３０およびはと目６７を通って可動子２２へ延び、さらに可動子２２から作動ギャップ７２を横切って燃料流入管１２へ延び、ハウジング３４へ戻る。コイル４８が通電されると、可動子２２に作用するばね力に打ち勝って、可動子が作動ギャップ７２を狭めながら燃料流入管１２へ向かって引きつけられる。これにより、ニードル弁２４が弁座部材４０から持ち上げられて燃料噴射装置が開かれ、噴射装置のノズルから燃料が噴射される。コイルが通電されなくなると、ばね２０が可動子／ニードル弁を弁座部材４０に押し付けて閉鎖させる。
図示のように、燃料流入管１２は、この燃料流入管１２の外径を大きな直径区分８０と小さな直径区分８２とに分ける円錐台形の肩部７８を有している。枠体４６は、中央貫通孔８４を有しており、この中央貫通孔８４は、中央貫通孔８４を大きな直径区分８８と小さな直径区分９０とに分ける円錐台形の肩部８６を有している。肩部８６は、肩部７８の円錐台形に対して相補的な円錐台形を有している。
第１図には、肩７８および８６が軸線方向に間隔を置いて示されており、さらに、貫通孔８４の一部と燃料流入管１２の外径の一部とが互いに軸線方向に重なり合って示されている。貫通孔８４のこの重なり合った部分は、肩８６と、この肩８６のすぐ上方の貫通孔の大きな直径区分８８の一部とから成っている。燃料流入管１２の外径の重なり合った部分は、肩７８と、燃料流入管の小さな直径区分８２の一部とから成っている。このことの重要性は、米国特許第５４６２２３１号明細書（ＰＣＴ  ＵＳ９５／１０１０９）、「コイル  フォー  スモール  ダイアメータ  ウェルディド  フュエル  インジェクタ」（Ｃｏｌｉ  Ｆｏｒ  Ｓｍａｌｌ  Ｄｉａｍｅｔｅｒ  Ｗｅｌｄｅｄ  Ｆｕｅｌ  ｉｎｊｅｃｔｏｒ，発明者Ｂｒｙａｎ  Ｃ．Ｈａｌｌ，１９９５年１０月３１日）に開示されているように、コイルアセンブリ１８、燃料流入管１２、シェル２８および２６の組み立て過程における段階に関係している。
弁グループと動力グループとが結合させられた後、ノズルの近くの弁体３０の外側を取り囲むように設けられた溝にＯリング４４が配置される前に、プラスチックシェル３２が燃料噴射装置に組み付けられる。プラスチックシェルは、部材２８，３０のうちの一方へのプレスばめまたはスナップ結合等によって別個の固定具を用いずに所定の位置に保持され、シェルが適切に位置決めされた後、弁体３０へのＯリング４４の組み立てにより燃料噴射装置上にシェルが保持される。プラスチックシェルは、部材２８および３０の内部の露出した金属の隠蔽を提供する。
本発明は、ハウジング３４の細部および燃料噴射装置１０の他の構成部材とハウジングとの関係に関する。ハウジング３４は、均一な厚さの金属薄板から、円筒状の胴部３４ａ、円筒状のネック３４ｂ、および円筒状の胴部３４ａとネック３４ｂとの間で半径方向内向きに延びた肩３４ｃとから成るほぼ管状の円筒形に製造され、これらは全て共通の長手方向軸線に沿って整合している。胴部３４ａがコイルアセンブリ１８を周方向で制限しているのに対し、ネック３４ｂは、コイルアセンブリ１８の貫通孔８４から外向きに突出した燃料流入管１２の外径の一部を周方向で制限している。ハウジング３４は、予め組み立てられた動力グループの構成部材に被さるように、密だがしめしろのない組付けを行うように寸法合わせされている。このようにハウジング３４が配置された後、ネック３４ｂが溶接または圧着等によって燃料流入管１２に結合させられ、胴部３４ａの軸線方向下端部の縁部が、同様の結合作業によって、胴部３４ａが部材２８と重なり合う個所において部材２８の外径に結合させられる。肩３４ｃは、９０°の半径を介してネック３４ｂに移行しており、同様の半径を介して胴部３４ａと結合しているが、後者は外側へ突出しており、前者は内側へ突出している。
第２図および第３図に示したように、コイルアセンブリ１８からコネクタプラグ５４への電気ターミナル５０，５２の通路を規定するために、ハウジング３４の壁に貫通孔３４ｄが設けられている。この貫通孔は、胴部３４ａとネック３４ｂとが同軸的であるハウジングの長手方向軸線に対してただ鋭角に相対した単一の孔であることができると有利である。図示した貫通孔は、この相対した領域においてネック３４ｂと肩３４ｃとの縁部が切り取られている。
満足なハウジング３４は、約０．５０ｍｍ〜０．９５ｍｍの範囲の厚さを有する均一な厚さの薄板材料から製造することができる。ハウジングとコイルアセンブリ１８の頂部との密な嵌め合いは、カバー３６を射出成形する工程時に、カバーの材料が進入する可能性を最少限に抑制するか排除さえし、これは、内部の構成部材が高圧、高温の流体、材料にさらされることを最少限に抑制し、その結果変位／信頼性に関する懸念を最少限にする場合に有利である。第４図〜第６図は金属絞り工程によってハウジング３４を製造するための工程を示している。第４図は胴部３４ａを形成する第１の絞り；第５図は肩３４ｃおよびネック３４ｂを形成する第２の絞り；また第６図は第２図および第３図を参照に前述した最終的な形状を形成するために材料を除去する作業を示している。ネック３４ｂの開放端部および貫通孔３４ｄの形成は、フライス削りと、それに次ぐバリ取りとによって行うことができる。択一的に、第５図から第６図へ移行する際に行われる段階は、打抜きおよびバリ取り作業から成っていてもよい。
さらに、ハウジング３４を製造する別の方法では、平らなシート材料を打ち抜き、次いで丸めて最終的な形状に形成する。その結果得られる構造は、巻かれた縁部が結合する部分に継ぎ目を有しており、この継ぎ目は開いたままにされるか、または択一的に溶接されて閉じられる。これらのどの工程でも、上に開示した厚さの範囲で、厚さの減じられたハウジングを形成することができ、その結果燃料噴射装置の縮径が達せられる。
第７図は、ボトムフィード型燃料噴射装置で使用することができる、ハウジングの別の形態を示しており、このハウジングには、燃料流入管１２ではなく強磁性の心材だけが配置される。貫通孔３４ｄが胴部３４ａの底部の縁部に形成されているので、ターミナルは、第１図に示したトップフィード型燃料噴射装置の場合よりもノズルにより近い燃料噴射装置の側を通って突出することができる。
以上本発明の実施例を図示説明したが、本発明の原理は、以下の請求項の範囲内の全ての同等の構造および方法に適応する。
【図１】
0003731897.tif 000002
【図２】
0003731897.tif 000003
【図３】
0003731897.tif 000004
【図４】
0003731897.tif 000005
【図５】
0003731897.tif 000006
【図６】
0003731897.tif 000007
【図７】
0003731897.tif 000008